(57)【要約】【課題】  従来、トイレットペーパーホルダーは片手では綺麗に切断しがたく、片手で切断できるとしたものも残り少ないと綺麗に切断できない。また簡易型はロールペーパーを盗まれやすく、盗難防止式のものは高いという問題があった。【解決手段】  カッターをケースの前面板の上部に上向きに設置しておき、バネとテコの作用でペーパーをカッターに押さえつけるテコ板をケース上部にセットし、ロールから引き出したペーパーの端はこの上にスライドさせ、このテコ板の手前端の間隙の下から潜らせて手前に引き出し、これを下に引くことによりペーパーを切断できるようにする。  またロールペーパーの芯支えホルダーをロールペーパの押し上げ板で塞いで、下部のロールペーパー補給口からロールペーパーを取り出せないようにしたもの。【選択図】図１
2016013331.tif 000002
【特許請求の範囲】
【請求項１】
ロールペーパーをテコ板の上を通してスライドさせることにより、このペーパーの表面が常時見えるようにし、次にペーパーをテコ板手前の間隙からテコ板前部の下に潜らせて紙押さえ（番号５）の下から引き出せるようにし、かつテコ板の手前端下にクッション性ある素材を設置し、またバネなどにより自動的にテコ板の端でペーパーがカッターに押しつけられようにするとともに、テコ板に紙送りローラーを付けてこれを押し回せば紙押さえ部が浮いてペーパーを引き出すときにその端がスムーズに繰り出され、これにより片手でもペーパーの引き出し、切断がスムーズかつ綺麗にできることを特徴とする構造。
【請求項２】
ケース内のロールペーパー芯支えホルダーを、ロールペーパー押し上げバーによって塞ぎ、これによりロールペーパーを取り出せないようにしたことを特徴とする構造。
【発明の詳細な説明】
【発明の概要】
【発明が解決しようとする課題】
【０００１】
従来の一般的ロールペーパーホルダーは次のような難点がある。
（イ）片手で綺麗にペーパーが切断しがたい。
（ロ）簡易型のものは水のしずくなどがかかるとロールの中まで浸透し、不潔感を与えるとともに紙同士がくっついて分離しがたい場合がある。
（ハ）製品によっては駅などではロールペーパーを盗まれることも少なくない。また盗難防止型の物は構造上製造費が高い物が多い。
（ニ）カッターに危険性があるものがある。
（ホ）盗難防止型の製品では一々鍵で開ける必要があってペーパーの補給が面倒な物がある。
（ニ）盗難防止型の製品ではロールペーパーが誤って逆にセットされていると使用出来ないものがある。
（ホ）片手で切れるとするものでもロールペーパーの紙が残り少なくなるとスムーズには切りがたい。
（ヘ）ミシン目入りのペーパーは従来の製品ではペーパーの端が引き出されるまでミシン目が見えず、また引き出された後も老眼、近眼、薄暗がり等により、ミシン目の位置がわかりにくい。
【課題を解決するための手段】
【０００２】
図１のＡ図で、ロールペーパーの端をロール部から引き出し、バネで前に倒せるようにした紙誘導ローラー（番号１）を前に倒してこの後ろからペーパーの端を上に引き出して紙押さえテコ板（番号２）の上を通らせ、更にこの紙押さえテコ板に付設した紙送りローラー（番号３）の上で紙送りをし、次にこの紙押さえテコ板回転軸（番号４）の手前の間隙からテコ板前部の下に潜らせて紙押さえ（番号５）の下から手前に引き出せるようにする。
この紙押さえはクッション性があり、かつ下面は紙送りがスムーズに出来るようなある程度の堅さがある樹脂等製とし、カッタ−（番号６）は本体ケース前板の上部に設置する。
紙押さえテコ板（番号２）はその両後ろ下側に板バネ（番号７）をはめるか、あるいはテコ板両側の回転軸受けにキックバネをつけるなどして、このバネとテコの原理により前方の紙押さえ（番号５）がカッター（番号６）に押しつけられるようにし、以て間に挟まれたペーパーはこれの端を下に引くことによりずれることなく確実に切断できる。  
柔らかい紙は鋏のように両刃で挟み切るか、あるいはこれをカッターとクッション性があるもので挟み付けて刃に鋭角に強く引くようにしなければ綺麗に切断できないが、片手で切れるとするこれまでの多くの考案ではそのような構造ではないため実際には片手では綺麗に切断できなかったが本案は上記の方法により課題を解決した。
なお、ロールペーパーのミシン目が丁度カッターの位置にあって切断された場合はロールペーパの端は出ていないのでこの場合は紙送りローラーを押し回せば紙押さえテコ板の前部が浮いてかつ紙送りローラーで押し出されて紙の端が出てくるのでこれを上に持ち上げて適当なところまで引き出して下に引けば切断できるが、通常はミシン目が手前に出ている位置で切断されるので紙の端は既に手前にでており、従ってそれをそのままつまんで引き出して下に引けば切断できるわけであるから、従来品以上に紙の端が引き出しやすい。
次にロールペーパーの補給方法は図４の Ｉ 図における芯支えホルダー（番号１０）をバネ等によって上には軽く上がり、かつ水平状態にすぐ復帰するが水平下へは下がらないようにし、かつ複数のロールペーパーをセットできるように、上下複数の芯支えホルダーを設置し、またロールペーパーを下からセットできるように箱の下を開口する。
そしてロールペーパーを箱の外から押し上げられるようにするために図３のＨ図に示すように、ロールペーパーを押し上げる板が蝶番で折れ曲がる仕組みのロールペーパー押上げバー（番号８）を図１、Ａ図のように設置し、これによりロールペーパーを上げるときは図４、 Ｉ 図のように芯支えホルダー（番号１０）が上に上がってロールペーパーが上げられ、芯支えホルダーがロールペーパーを保持した後にロールペーパー押し上げバーを下に下げるときはこれは蝶番のところでそれ自体が曲がって奥行きが狭まるので芯支えホルダーに遮られることはなく、ロールペーパー押上げバーは下に降ろせる。
これによりホルダーケース上部はテコ板が開口部の中央部を塞いでいるのでロールペーパーが残り少なくならない限り取り出すことは出来ず、下部はロールペーパー押上げバー（番号８）が両側の芯支えホルダーを塞ぐのでロールペーパーを取り出すことは出来ず盗難を防止出来る。
以上の構成からなるロールペーパーホルダー。
【発明の効果】
【０００３】
ロールペーパーは片手でも容易に引き出せ、かつ片手で簡単に、また綺麗に切断できる。
【０００４】
上から少しくらいの水滴がかかっても表出部が濡れるだけでロール部までは濡れない。
【０００５】
カッターにはギザギザの刃や鋭利な刃を使わず、かつこの上をテコ板の紙押さえがカバーするので清掃やロールペーパーの補給などの手入れが安全に出来、またロールペーパーの補給も下から押し入れるだけで簡単であるのでその分危険性も少なくなる。
【０００６】
この方式ではペーパーが上面で水平の状態に広がるので、ロールペーパーに広告を印刷しておけばトイレの中では外に見るような物もないので広告効果が大きく、かつこれを切り取ってその製品の販売店に提示できるので直接販売に結びつき、特に腹痛薬等の広告には最適である。
また電車内の広告は一々取り付けたり外したりの手間を要し、その人件費がかかるが、これはペーパーを補充することにより自動的に広告の機能が果たされ、特段の人件費は不要である。
鉄道などの交通機関では広告収入が得られることとなる。
デパート、ホテルなどでは綺麗なデザインで印刷をしたトイレットペーパーを使用して、品位を高めることが出来る。
来客が多く上品さを必要とする家庭では、綺麗で品の良い模様が印刷されたトイレットペーパーを使用して格式を出し、また家計が困難な家庭では安価な広告入りトイレットペーパーを使用することにより経費節約を図ることが出来る。
【０００７】
ロールペーパーを補給するときは下から押し上げるだけで済むので作業効率が上がる。
【０００８】
複数のロールペーパーを簡易に補充できるので手間がはぶける。
【０００９】
盗難が少なくなる。
【００１０】
ロールペーパーの向きが万一誤って逆にセットされていても使用できる。
【００１１】
従来品はカッターがついたカバーがペーパー表面を覆うので紙を引き出す前はミシン目は見えず、紙を引き出した後も老眼や近視ではミシン目が見えにくく長さが調整しにくく、またミシン目と切断刃の位置がずれていてしかも互いに近いと不具合に裂けたりすることがあるが、この考案ではペーパーの端を引き出す前にもミシン目が見えていて、かつ広告等が印刷されていると、ミシン目は広告の各画面と画面との境界であるのでその位置がわかりやすく、かつミシン目の位置に関係なく綺麗に切断しやすい。
【００１２】
ロールペーパーが残り少なくなっても支障なく片手で切断できる。
【００１３】
ペーパーの端が出ていないとき、従来品ではローラーを指先で回して繰り出す方式のものがあるが、これはそのローラーに直接手に触れるので潔癖な人は不愉快になるが、この考案ではローラーがペーパーの下にあるのでローラーに直接には触れないため衛生的である。
【００１４】
従来品で片手で切断出来るとしたものはカッターにペーパーを上に引きつけて切断する方式のためカッターがやや浮いて、ペーパーがカッターと柔らかいもので挟み付けられるという機能がなくなるため特にミシン目が無いロールペーパーでは強く引かないと綺麗に切断出来がたかったが、この考案ではペーパーを紙押さえでカッターに押しつけ、かつペーパーを下に引きつける方式であるので紙押さえが浮くことはなく、ミシン目が入れてないロールペーパーでもそれほど強い力で引かなくても片手でスムーズに切断できる。
【図面の簡単な説明】
【００１５】
【図１】Ａ図は見取図であり、Ｂ図はロールペーパーをセットした状態を示す。
【図２】Ｃ図は、「紙押さえテコ板」の見取図であり、図中、番号２はその本体部、番号３は「紙送りローラー」、番号４は「紙押さえテコ板」の回転軸、番号５は「紙押さえ」であり、番号７はテコ板の手前端のクッション部で紙を切断面に押しつけるために反対側を押し上げるためのバネ板である。これは番号４の回転軸の両端にキックバネを着けるなどしてその機能を代替させることも出来る。  Ｄ図は本体ケースに紙押さえ板をセットした状態の側面図である。  Ｅ図はケース本体を中央部で上から縦に切断した場合の側面断面図である。
【図３】Ｆ図は本体ケースを正面から見て、「紙押さえテコ板」の回転軸の位置で上から縦に切断した回転軸部分の断面図であり、  Ｇ図は同じく本体ケースを正面から見て、「紙送りローラー」の位置で上から縦に切断した断面図である。  またＨ図は「紙押上バー」の全体見取図である。
【図４】Ｉ 図はロールペーパーをセットした状態でのセット部分及び下部の部分を、正面から見て本体ケースの前後の中心位置で上から切断した断面図であり、  Ｊ 図は同じ部分を側面から見て本体ケース中央部で上から切断した断面図である。
【実施例】
【００１６】
１．  医療機関や介護事業などで他者の介助をする際、片手がふさがっていてロールペーパーを片手で切り取らねばならないとき、あるいは骨折や怪我などで片手しか使えないとき。
２．  公共交通機関などのトイレで使用者が手荷物や乳児等を片手で保持していて、その手が使いにくいとき。
３．  同じく公共交通機関等でトイレットペーパーが頻繁に持ち去られたり、乱雑に引きちぎられて無駄にされたり、見苦しい状態にある場合。
４．  公共交通機関等では広告料収入を得、あるいは安価な広告入りのトイレットペーパーを購入することにより、経費の節減を図りたいとき。
５．  ホテルやデパートなどで綺麗な花柄や自社名が入ったトイレットペーパーを使うことにより品位を高めたいとき。
６．  バスや鉄道などの車内で揺れが大きいため、片手で安全握り手に掴まって用を足す必要がある場合に安全性を確保できるようにしたいとき。
【産業上の利用可能性】
【００１７】
１．これはどのようなサニタリー施設でも設置できるし、ケースのデザインを斬新なものにし、かつペーパーの印刷柄も適切なデザインにすれば食卓や台所などで一寸食器などが汚れた場合の拭き取りなどにも活用でき、またキッチンペーパー用にも活用できる。
２．巾が広いものを使えるようにすれば工場などで機械油などの汚れを拭き取る場合のウエスに代わる活用性があり、ウエスと異なり常時綺麗な紙で汚れを拭き取れるという利点がある。
３．整理券などを配布するとき番号を印刷したものにミシン目を入れてロール状にしたものを使うことにより、順番通り確実に１枚ずつ切り取って渡すことが出来る。
【符号の説明】
【００１８】
（注）  各番号の名称は各図に共通
番号 １  紙誘導ローラー
番号 ２  紙押さえテコ板
番号 ３  紙送りローラー
番号 ４  回転軸
番号 ５  紙押さえ
番号 ６  カッター
番号 ７  テコ板押上げバネ
番号 ８  ロールペーパー押上げバー
番号 ９  ペーパー
番号１０  芯支えホルダー    
【図１】
2016013331.tif 000003
【図２】
2016013331.tif 000004
【図３】
2016013331.tif 000005
【図４】
2016013331.tif 000006